(57)【要約】【課題】高い断熱性能及び信頼性を有する真空断熱材を提供すること。【解決手段】芯材が、ガスバリア層を有する包装材で被覆され密封された真空断熱材において、芯材は、外面および内面が曲面形状である連続した所定厚みの部材であり、包装材は、重ねしろを有する複数の包装材要素が、隣り合う包装材要素が重ねしろで接合され、芯材の外面および内面を被覆するようにした。【選択図】図１
2017198248.tif 000002
【特許請求の範囲】
【請求項１】
芯材が、ガスバリア層を有する包装材で被覆され密封された真空断熱材において、
前記芯材は、外面および内面が曲面形状である連続した所定厚みの部材であり、前記包装材は、重ねしろを有する複数の包装材要素が、隣り合う前記包装材要素が前記重ねしろで接合され、前記芯材の前記外面および前記内面を被覆していることを特徴とする真空断熱材。
【請求項２】
前記重ねしろが、曲面形状である前記包装材の外面側に設けられていることを特徴とする請求項１に記載の真空断熱材。
【請求項３】
前記重ねしろが、曲面形状である前記包装材の内面側に設けられていることを特徴とする請求項１に記載の真空断熱材。
【請求項４】
前記重ねしろが接合された部分が前記芯材の側に設けられていることを特徴とする請求項１に記載の真空断熱材。
【請求項５】
前記包装材の、前記重ねしろが接合されて継ぎ目となる部分がコーティング剤によりコーティングされていることを特徴とする請求項１から４のいずれか１項に記載の真空断熱材。
【請求項６】
真空断熱材の最終形状の立体形状の外面側の曲面、および内面側の曲面に形成するそれぞれの包装材の材料を、前記外面側の曲面および前記内面側の曲面のそれぞれの展開図にしたがって、周辺部に重ねしろを有する複数の包装材要素に切断する包装材要素形成工程と、
前記包装材要素を、隣り合う前記包装材要素の重ねしろ同士を重ねて接合し、前記外面側の曲面の包装材および前記内面側の曲面の包装材を形成する包装材形成工程と、
真空槽内で、前記外面側の曲面の包装材と前記内面側の曲面の包装材との間に芯材を配置し、前記芯材を所定の厚みまで圧縮したのち、前記真空槽の内部を減圧するとともに、前記外面側の曲面の包装材の外周部と前記内面側の曲面の包装材の外周部とを接合して、前記外面側の曲面の包装材と前記内面側の曲面の包装材との間に前記芯材を密封する芯材密封工程と
を備えたことを特徴とする真空断熱材の製造方法。
【請求項７】
前記包装材形成工程において、前記重ねしろを前記包装材の曲面の外面となる側に折り曲げて、隣り合う前記包装材要素の前記重ねしろを突き合わせて接合することを特徴とする請求項６に記載の真空断熱材の製造方法。
【請求項８】
前記包装材形成工程において、前記重ねしろを前記包装材の曲面の外面となる側に折り曲げて、隣り合う前記包装材要素の前記重ねしろを突き合わせて接合した後、前記曲面の前記外面が内面となり、前記曲面の内面が外面となるよう裏返すことを特徴とする請求項６に記載の真空断熱材の製造方法。
【請求項９】
前記包装材形成工程において、前記重ねしろの一部に形成された粘着層により、隣り合う前記包装材要素同士を仮止めすることを特徴とする請求項６から８のいずれか１項に記載の真空断熱材の製造方法。
【請求項１０】
前記芯材密封工程の後、前記重ねしろが接合されて継ぎ目となっている部分をコーティングするコーティング工程を備えたことを特徴とする請求項６から９のいずれか１項に記載の真空断熱材の製造方法。
【発明の詳細な説明】
【技術分野】
【０００１】
本発明は、断熱容器の周囲に配設される真空断熱材に関するものである。
【背景技術】
【０００２】
近年、地球温暖化防止やエネルギー安定供給確保の観点から民生及び産業機器の省エネルギー化活動が活発化している。例えば冷蔵庫、冷凍庫及び給湯器等の冷熱機器では優れた断熱性能を有する真空断熱材を用いることで消費電力量を低減している。
【０００３】
冷熱機器のさらなる省エネルギー化には、真空断熱材を任意の機器形状に密接させ被覆率を高める必要がある。従来の真空断熱材は屈曲・湾曲変形が困難であるという問題から平板形状に成形される場合が多い。従って断熱対象の形状が曲面等を有する立体形状の場合には、断熱対象部との間に隙間をあけて平板形状の真空断熱材を配設する、または折り曲げあるいはプレス等の後加工により断熱対象部の形状に沿うように配設するのが一般的である。しかしながら、断熱対象部との間に隙間があると、真空断熱材による被覆率が低下するため十分な断熱性能を確保できないという問題がある。また、真空断熱材に後加工をする場合、加工における応力によって、包装材に損傷やしわを発生させ、ガスバリア性の低下や断熱対象部に密接できない等の現象が生じる。これらの現象により、真空断熱材の断熱性能及び信頼性が低下するという問題がある。
【０００４】
上記の問題の対策として、例えば特許文献１では真空成形やプレス等の成形方法によって断熱対象部の形状に予め成形した包装材を用いて芯材を包囲し減圧密封して任意の立体形状の真空断熱材を得る技術が提案されている。また特許文献２では任意の形状の芯材を立体構造の展開図を形成するように配置し、芯材の間に位置する折り曲げ線に合わせて平面状の包装材を折り曲げて、任意の立体形状の真空断熱材を得る技術が提案されている。
【先行技術文献】
【特許文献】
【０００５】
【特許文献１】特開２０１５−３１３３９号公報
【特許文献２】特開２００６−１１８６３４号公報
【発明の概要】
【発明が解決しようとする課題】
【０００６】
特許文献１の技術では、包装材を成形加工するため、加工時に発生する応力によって包装材のガスバリア層に亀裂が生じ、気密性が劣化して断熱性能及び信頼性が損なわれるという懸念がある。また、成形加工により形状を保持できるような材料の包装材を選択する必要があるという問題点がある。
【０００７】
特許文献２の技術では、隣接する芯材の間には芯材のない部分ができるため断熱性能が損なわれる懸念がある。また、断熱対象部が曲面を有する立体形状では真空断熱材の折り曲げ部において断熱対象面と接しない箇所が生じ断熱性能が損なわれる懸念がある。
【０００８】
本発明は上述のような問題点を解決するためになされたもので、従来に比べ高い断熱性能及び信頼性を有する真空断熱材を提供することを目的とする。
【課題を解決するための手段】
【０００９】
本発明は、芯材が、ガスバリア層を有する包装材で被覆され密封された真空断熱材において、芯材は、外面および内面が曲面形状である連続した所定厚みの部材であり、包装材
は、重ねしろを有する複数の包装材要素が、隣り合う包装材要素が重ねしろで接合され、芯材の外面および内面を被覆しているものである。
【００１０】
また、本発明は、真空断熱材の製造方法において、真空断熱材の最終形状の立体形状の外面側の曲面、および内面側の曲面に形成するそれぞれの包装材の材料を、外面側の曲面および内面側の曲面のそれぞれの展開図にしたがって、周辺部に重ねしろを有する複数の包装材要素に切断する包装材要素形成工程と、包装材要素を、隣り合う包装材要素の重ねしろ同士を重ねて接合し、外面側の曲面の包装材および内面側の曲面の包装材を形成する包装材形成工程と、真空槽内で、外面側の曲面の包装材と内面側の曲面の包装材との間に芯材を配置し、芯材を所定の厚みまで圧縮したのち、真空槽の内部を減圧するとともに、外面側の曲面の包装材の外周部と内面側の曲面の包装材の外周部とを接合して、外面側の曲面の包装材と内面側の曲面の包装材との間に芯材を密封する芯材密封工程とを備えるようにしたものである。
【発明の効果】
【００１１】
この発明によれば、曲面を有する立体形状において、包装材が立体形状の展開図から作製されているため、成形加工による応力が発生することはなく、ガスバリア層の亀裂が生じ断熱性能及び信頼性を損なうことはない。また、成形加工により形状保持のしにくい包装材の材料であっても立体形状を保持することができる。さらに、芯材は連続した形状となっているため、曲面に対する自由度が大きく、断熱対象面との接触面積を広くできるため断熱性能の向上が期待できる。
【図面の簡単な説明】
【００１２】
【図１】本発明の実施の形態１による真空断熱材の外形を示す斜視図である。
【図２】本発明の実施の形態１による真空断熱材の構成を示す断面図である。
【図３】本発明の実施の形態１による真空断熱材の包装材の基本構成を示す要部断面図である。
【図４】本発明の実施の形態１による真空断熱材の包装材を示す側面図および展開図である。
【図５】本発明の実施の形態１による真空断熱材の包装材要素の詳細構成を示す図である。
【図６】本発明の実施の形態１による真空断熱材の包装材の製造方法を説明するための図である。
【図７】本発明の実施の形態１による真空断熱材の製造方法を説明するための断面図である。
【図８】本発明の実施の形態２による真空断熱材の外形を示す斜視図である。
【図９】本発明の実施の形態２による真空断熱材の包装材を示す側面図および展開図である。
【図１０】本発明の実施の形態２による真空断熱材の包装材要素の詳細構成を示す図である。
【図１１】本発明の実施の形態２による真空断熱材の包装材の製造方法を説明するための図である。
【図１２】本発明の実施の形態３による真空断熱材の外形を示す斜視図である。
【図１３】本発明の実施の形態３による真空断熱材の包装材を示す側面図である。
【図１４】本発明の実施の形態３による真空断熱材の包装材の製造方法を説明するための図である。
【図１５】本発明の実施の形態４による真空断熱材の構成を示す断面図である。
【図１６】本発明の実施の形態５による真空断熱材の包装材要素の詳細構成を示す図である。
【図１７】本発明の実施の形態５による真空断熱材の隣り合う包装材要素が接合されている部分の構成を示す断面図である。
【図１８】本発明の実施の形態６による真空断熱材の外形を示す斜視図である。
【発明を実施するための形態】
【００１３】
実施の形態１．
図１は本発明の実施の形態１による真空断熱材１の構成を示す斜視図、図２は真空断熱材１の構成を示す断面図である。図２に示すように真空断熱材１は芯材２、および少なくとも２枚の包装材３から構成されている。真空断熱材１は芯材２を２枚の包装材３に収納し、各包装材３で囲まれた内部を減圧密封して高真空状態を維持している。芯材２は外面および内面が曲面形状である連続した一体式の形状となっている。この芯材２の外面および内面はそれぞれ包装材３で被覆されている。芯材２は、無機質繊維、有機質繊維のいずれか、または両者の複合材から構成されている。複合材の具体例として、無機質繊維のみからなる層と有機質繊維のみからなる層とを積層させたもの、あるいは無機質繊維と有機質繊維とを混合させた層等が挙げられる。ここで、無機質繊維として、例えばガラス繊維、ロックウール繊維、アルミナ繊維、シリカ繊維、及びスラグウール繊維等が挙げられる。また、有機質繊維として、例えばポリエステル繊維、ポリスチレン繊維、ポリエチレン繊維、ポリプロピレン繊維、ナイロン繊維、アクリル繊維、ポリノジック繊維、及びレーヨン繊維等の合成繊維のほか、綿、絹、麻等の天然繊維が挙げられる。耐熱性、及び芯材２自身からのガス発生を回避するという観点から、好ましくは無機質繊維のガラス繊維を用いるのが良い。ただし、芯材２は、ここに例示した材料に限定されることはない。
【００１４】
図３は包装材３の基本構成を示す要部断面図である。包装材３はガスバリア性を有し、真空断熱材１の外側からの衝撃による損傷が起こりにくく、真空断熱材１の気密性を長期的に確保でき、かつ低熱伝導の材料であることが好ましい。具体的には、包装材３は真空断熱材１の外側からの衝撃による損傷を防ぐ表面保護層３ａ、真空断熱材１内部の高真空状態を維持するためのガスバリア層３ｂ、芯材２を囲んで減圧密封するための熱溶着層３ｃの少なくとも３層から構成される。表面保護層３ａとして、例えばポリアミド樹脂、ポリエステル樹脂等が挙げられる。ガスバリア層３ｂとして、例えばアルミニウム箔等の金属箔、またはアルミ蒸着、アルミナ蒸着、シリカ蒸着、あるいはインジウム蒸着等を施したポリエチレン樹脂、ポリエステル樹脂等が挙げられる。熱溶着層３ｃとして、例えばポリエチレン樹脂、ポリプロピレン樹脂、及びフィルム状のオレフィン系ホットメルト接着剤等が挙げられる。ただし、包装材３の各材料は、ここに例示した材料に限定されることはない。また、包装材３の層の構成はここに示した構成に限定されることはなく、真空断熱材１の外側の衝撃からの保護を強化するために表面保護層３ａを２層にするほか、包装材３の内側に気密性保持を強化して長期信頼性を向上する目的で、ガスバリア層３ｂを２層とする、包装材３の内側と外側の両面から接着できるように熱溶着層３ｃを包装材３の内側と外側に配置する等してもよい。
【００１５】
本実施の形態１の包装材３は曲面を有する立体形状の展開図から製作された複数枚の包装材要素４を重ねて熱溶着で接合することで構成されている。ここでは半球形状の包装材３の製作方法を例に説明する。図４（ａ）に本実施の形態１による包装材の一例として半球形状の包装材３の側面図を示す。図４（ｂ）に本実施の形態１による半球形状の包装材３を形成する包装材要素４の例を示す。図４（ａ）に示す半球形状の包装材３は図４（ｂ）に示すような複数の包装材要素４から形成されている。包装材要素４は重ねしろ４ａ及び封止しろ４ｂを有している。本実施の形態１の半球形状の包装材３は隣り合う包装材要素４の重ねしろ４ａを重ね合わせて熱溶着し、継ぎ目が接合された構造になっている。ここで、封止しろ４ｂ部分にも重ねしろを有しており、隣り合う包装材要素４の封止しろ４ｂ部分同士が接合される。
【００１６】
本実施の形態１の包装材３及び包装材要素４の製作方法について説明する。半径Ｒ［ｍ］の半球形状の包装材３を重ねしろ４ａの幅をｂ［ｍ］、封止しろ４ｂの幅をｇ［ｍ］としたｎ枚の包装材要素４で形成した場合を考える。図５に本実施の形態１の半球形状の包装材要素４の詳細図を示す。包装材要素４の内輪郭５は図５に示す座標系で０≦ｙ≦π/２の範囲においてx=(πR/N)cos(y/R)またはx=-(πR/N)cos(y/R)を満たす点を結ぶことで製作される。包装材要素４の外輪郭６は内輪郭５の接線からｂ［ｍ］の距離の点を結ぶことで製作される。包装材要素４の封止しろ４ｂは真空断熱材１の製造時に芯材から離れた場所で密封できるように必要な長さｇ［ｍ］で製作されている。図６に本実施の形態１の包装材３の製作時の概略図を示す。本実施の形態１の包装材３は上記の方法で製作された包装材要素４の内側に図６に示すように接合治具７を配置し、包装材要素４の重ねしろ４ａを重ねて継ぎ目を接合することで形成される。
【００１７】
本実施の形態１の包装材３を用いた真空断熱材１の製造方法について説明する。図７に真空断熱材１の製造時の概略図を示す。まず、真空槽８内の上治具９及び下治具１０のそれぞれに芯材２の外面側の曲面に形成された包装材３および内面側の曲面に形成された包装材３を設置する。ここで、上治具９及び下治具１０はそれぞれの包装材３と同一の曲面を有する立体形状に加工されている。上治具９及び下治具１０は真空槽８内で上治具９及び下治具１０の間に芯材２を挟み圧縮することで立体形状を保持する機能を有している。上治具９及び下治具１０に包装材３を設置する方法としては吸着パッドによる吸着固定や両面テープによる粘着固定等の方法が挙げられるがこれらの方法に限定することはなく、真空槽８内で上治具９及び下治具１０と包装材３とのズレまたは落下を防止できれば良い。
【００１８】
次に、包装材３を設置した下治具１０の上に芯材２を配設し、上治具９及び下治具１０で芯材２を挟み真空断熱材１の完成形状と同じ厚みまで芯材２を圧縮する。その後、真空装置１１にて真空槽８内部を減圧し、既定の真空度に達した時点で包装材要素４の封止しろ４ｂとして形成された真空断熱材の外周部１ａを熱溶着し、上下の包装材３の間に芯材２を密封する。
【００１９】
本実施の形態１の真空断熱材１は、包装材３が断熱対象の形状に合わせた真空断熱材の最終形状の立体形状の展開図から作製されているため成型加工が不要であり、成形加工による応力が発生することはなく、ガスバリア層に亀裂が生じ断熱性能及び信頼性を損なうことはない。また、成形加工により形状保持のしにくい包装材３の材料であっても立体形状を保持することができる。さらに、真空断熱材の最終形状の立体形状に合わせて包装材３が製作可能なことから、包装材３が芯材２の立体形状に追随しようとして包装材３の余剰部位が皺となってしまうことはない。したがって、断熱性能及び長期信頼性の向上が期待できる。また、芯材は連続した一体式の形状となっているため、曲面に対する自由度が大きく、断熱対象面との接触面積を広くできるため断熱性能の向上が期待できる。
【００２０】
以上、本実施の形態１の真空断熱材１の構成及び製造方法について説明した。なお、上記では本実施の形態１において立体形状が半球形状の場合について述べたが、半球形状に限らず断熱対象の形状に合わせた任意の立体形状とすることが可能である。また、本実施の形態１の包装材３の製作方法及び真空断熱材１の製造方法は上記の方法に限らず真空断熱材１の断熱性能及び長期信頼性を確保できる方法であれば良い。
【００２１】
実施の形態２．
図８に本実施の形態２による真空断熱材１を示す。実施の形態１の真空断熱材１では、重ねしろ４ａは折り曲げずに隣り合う包装材要素４の重ねしろ４ａ同士を重ね合せて熱溶着などで接合したが、本実施の形態２の真空断熱材１では、包装材３の包装材要素１２の重ねしろ１２ａを曲面の外面となる側（外側）に折り曲げて接合している点で異なる。本実施の形態２の真空断熱材１のその他の構成及び製造方法は本実施の形態１の真空断熱材１と同様であるためここでの説明を省略する。以下では本実施の形態２の包装材３の構成及び製作方法について説明する。
【００２２】
本実施の形態２の真空断熱材１に使用する包装材３は曲面を有する立体形状の展開図から製作された複数枚の包装材要素１２の重ねしろ１２ａを外側に折り曲げ重ね合わせて、熱溶着で接合することで構成されている。ここでは本実施の形態２において半球形状の包装材３の製作方法を例に説明する。図９（ａ）に本実施の形態２による半球形状の包装材３の側面図を示す。図９（ｂ）に本実施の形態２による半球形状の包装材３を形成する包装材要素１２の例を示す。包装材要素１２は重ねしろ１２ａ、封止しろ１２ｂ、頂点部１２ｃ、切り込み部１２ｄ及び切れ目１２ｅ（図１０参照）を有している。本実施の形態２の包装材３は包装材要素１２の重ねしろ１２ａを外側に折り曲げて重ね合わせて熱溶着し接合されている。
【００２３】
本実施の形態２の包装材３及び包装材要素１２の製作方法について説明する。半径Ｒ［ｍ］の半球形状の包装材３を重ねしろ１２ａの幅をｃ［ｍ］、封止しろ１２ｂの幅をｆ［ｍ］としたｎ枚の包装材要素１２で形成した場合を考える。図１０に本実施の形態２の半球形状の包装材要素１２の詳細図を示す。本実施の形態２の包装材要素１２の内輪郭１３は本実施の形態１の包装材要素４の内輪郭５と同様に製作されるためここでは説明を省略する。包装材要素１２の外輪郭１４は内輪郭１３の接線からｃ［ｍ］の距離の点を結ぶことで製作される。なお、包装材要素１２の重ねしろ１２ａは、重ねしろ１２ａを折り曲げる際に包装材要素１２にしわ、又はひずみ等の発生を抑制するため、包装材要素１２の頂点部１２ｃに切り込み部１２ｄを設ける。包装材要素１２の封止しろ１２ｂは真空断熱材１の製造時に芯材から離れた場所で密封できるように必要な長さｆ［ｍ］で製作されている。なお、包装材３の製作において封止しろ１２ｂを形成する際に包装材要素１２にしわ、又はひずみ等の発生を抑制するため重ねしろ１２ａと封止しろ１２ｂとの間に切れ目１２ｅを設ける。
【００２４】
図１１に本実施の形態２の包装材３の製作時の概略図を示す。本実施の形態２の包装材３は上記の方法で製作された包装材要素１２の内側に図１１に示すように接合治具１５を配置し、包装材要素１２の重ねしろ１２ａを外側に折り曲げ、隣り合う包装材要素１２の重ねしろ１２ａ同士を突き合わせて重ね、接合して形成される。包装材３の外周部１ａは隣接する包装材要素１２の封止しろ１２ｂの一部を重ね合わせて封止接合することで形成される。
【００２５】
本実施の形態２の真空断熱材１の重ねしろ１２ａは、目的や用途に応じて重ねしろ１２ａを接着剤やテープによる粘着固定等により真空断熱材１の表面形状に沿うように固定してもよい。ただし、重ねしろ１２ａの固定方法は前述の方法に限定されることはない。
【００２６】
本実施の形態２の真空断熱材１は実施の形態１が有する効果を備え、かつ重ねしろ１２ａを折り曲げてから重ね合わせて接合するので、実施の形態１の真空断熱材１に比べ容易に熱溶着をヒータ等の溶着装置をクランプして接合できるので、製造工数の削減が可能である。
【００２７】
以上、本実施の形態２の真空断熱材１の構成及び製造方法について説明した。なお、上記では本実施の形態２において立体形状が半球形状の場合について述べたが、半球形状に限らず断熱対象の形状に合わせた任意の立体形状とすることが可能である。また、本実施の形態２の包装材３の製作方法及び真空断熱材１の製造方法は上記の方法に限らず真空断熱材１の断熱性能及び長期信頼性を確保できる方法であれば良い。
【００２８】
実施の形態３．
図１２に本実施の形態３による真空断熱材１を示す。上記した実施の形態２の真空断熱材１と比較すると実施の形態３による真空断熱材１では包装材３の包装材要素１２の重ねしろ１２ａを曲面の内面となる側（内側）に折り曲げて接合している点で異なる。本実施の形態３の真空断熱材１のその他の構成及び製造方法は実施の形態１の真空断熱材１と同様であるためここでの説明を省略する。以下では本実施の形態３の包装材３の構成及び製作方法について説明する。
【００２９】
本実施の形態３の真空断熱材１に使用する包装材３は曲面を有する立体形状の展開図から製作された複数枚の包装材要素１２の重ねしろ１２ａを内側に折り曲げ重ね合わせて、熱溶着で接合することで構成されている。ここでは本実施の形態３において半球形状の包装材３の製作方法を例に説明する。図１３に本実施の形態３による半球形状の包装材３の側面図を示す。本実施の形態３による半球形状の包装材３を形成する包装材要素は実施の形態２による包装材要素と構成及び製作方法が同様であるため説明を省略する。本実施の形態２の包装材３は包装材要素１２の重ねしろ１２ａを内側に折り曲げて重ね合わせて熱溶着し接合されている。
【００３０】
本実施の形態３の包装材３の製作方法について説明する。図１４に本実施の形態３の包装材３の製作時の概略図を示す。本実施の形態３の包装材３は接合治具１５を用いて、包装材要素１２の重ねしろ１２ａを外側に折り曲げて接合した後で、包装材３の天頂部をａ１の方向に押し、包装材３の外周部１ａをクランプ等の把持冶具１６で把持しながらａ２の方向に移動させ、包装材３を裏返すことで形成される。包装材３の外周部１ａは包装材３を裏返した後で隣接する包装材要素１２の封止しろ１２ｂの一部を重ね合わせて封止接合することで形成される。
【００３１】
本実施の形態３の真空断熱材１の重ねしろ１２ａは、目的や用途に応じて重ねしろ１２ａを接着剤やテープによる粘着固定等により真空断熱材１の表面形状に沿うように固定してもよい。ただし、重ねしろ１２ａの固定方法は前述の方法に限定されることはない。
【００３２】
本実施の形態３の真空断熱材１は本実施の形態１が有する効果を備え、かつ重ねしろ１２ａを折り曲げてから重ね合わせて接合するので、本実施の形態１の真空断熱材１に比べ容易に熱溶着をヒータ等の溶着装置をクランプして接合でき、製造工数の削減が可能である。
【００３３】
以上、本実施の形態３の真空断熱材１の構成及び製造方法について説明した。なお、上記では本実施の形態３において立体形状が半球形状の場合について述べたが、半球形状に限らず断熱対象の形状に合わせた任意の立体形状とすることが可能である。また、本実施の形態３の包装材３の製作方法及び真空断熱材１の製造方法は上記の方法に限らず真空断熱材１の断熱性能及び長期信頼性を確保できる方法であれば良い。
【００３４】
実施の形態４．
図１５に本実施の形態４の真空断熱材１の断面図を示す。本実施の形態４の真空断熱材１では包装材３の包装材要素１２の重ねしろ１２ａが、内面側および外面側いずれの側も芯材２の側、すなわち真空断熱材１の内部にある。内面側の包装材１２は実施の形態２で説明した製造方法により製造し、外面側の包装材１２は実施の形態３で説明した製造方法により製造する。本実施の形態４の真空断熱材１のその他の構成及び製造方法は本実施の形態２または本実施の形態３の真空断熱材１と同様であるためここでの説明を省略する。
【００３５】
本実施の形態４の真空断熱材１は実施の形態２及び本実施の形態３が有する効果を備え、かつ真空断熱材１の外部に重ねしろ１２ａが出ていないため、本実施の形態２及び本実施の形態３に比べ断熱対象等の真空断熱材１に接触する面に密接して配設できる。
【００３６】
実施の形態５
図１６に本実施の形態５の真空断熱材１の包装材要素１７の詳細図を、図１７に本実施の形態５の重ねしろ１７ａの断面図を示す。上記した本実施の形態１から本実施の形態４と比較すると、本実施の形態５の真空断熱材１では包装材要素１７の重ねしろ１７ａに包装材要素１７の外縁に沿って粘着層１８を追加している点で異なる。粘着層１８は、重ねしろ１７ａの外縁に沿って、たとえば粘着テープを貼り付けて構成することができる。
【００３７】
本実施の形態５の真空断熱材１に使用する包装材３は曲面を有する立体形状の展開図から製作された複数枚の包装材要素１７の重ねしろ１７ａを重ね合わせて、粘着層１８で貼り合わせて仮止めした後に熱溶着で接合することで構成されている。ここでは本実施の形態５において半球形状の包装材３の製作方法を例に説明する。本実施の形態５による半球形状の包装材３を形成する包装材要素１７は本実施の形態１から実施の形態３のいずれかによる包装材要素と同様の製作方法で製作した包装材要素１７の外縁に粘着層１８を追加することで形成される。本実施の形態５における真空断熱材１の製作方法は本実施の形態１から本実施の形態４のいずれかと同様であるためここでの説明を省略する。
【００３８】
本実施の形態５の包装材３の製造方法について説明する。本実施の形態５の包装材３は包装材要素１７の重ねしろ１７ａを粘着層１８で貼り合わせて仮止めした後で重ねしろ１７ａを例えば熱溶着により接合することで形成される。その他の製造方法については本実施の形態１から本実施の形態４のいずれかと同様であるためここでの説明を省略する。
【００３９】
本実施の形態５の真空断熱材１は本実施の形態１から本実施の形態４のいずれかが有する効果を備え、かつ重ねしろ１７ａを予め粘着層１８で貼り合わせて仮止めすることで重ねしろ１７ａの接合作業を容易にできる。
【００４０】
以上、本実施の形態５の真空断熱材１の構成及び製造方法について説明した。なお、上記では本実施の形態５において立体形状が半球形状の場合について述べたが、本実施の形態５は半球形状に限らず断熱対象の形状に合わせた任意の立体形状とすることが可能である。また、上記では粘着層１８を包装材要素１７の外縁に追加したが、重ねしろ１７ａの少なくとも一部に粘着層１８を設けて仮止めができれば、粘着層１８の追加方法は上記の方法に限定されず接合作業の作業性を改善できる方法であればよい。
【００４１】
実施の形態６.
図１８に本実施の形態６の真空断熱材１を示す。本実施の形態６の真空断熱材１では包装材３の、重ねしろが接合されて継ぎ目となる部分に、気密性を確保できるよう、樹脂剤などのコーティング剤でコーティング部１９を形成している。本実施の形態６の真空断熱材１のその他の構成及び製造方法は本実施の形態１から本実施の形態５のいずれかの真空断熱材１と同様であるためここでの説明を省略する。また、本実施の形態６のコーティング部１９以外の包装材３の構成及び製造方法についても本実施の形態１から本実施の形態５のいずれかの真空断熱材１と同様であるためここでの説明を省略する。
【００４２】
本実施の形態６の真空断熱材１は本実施の形態２または本実施の形態３が有する効果を備え、かつ継ぎ目をコーティング部１９でコーティングしているため、真空断熱材１の内部の気密性をより長期間保持できるので、真空断熱材１の断熱性能及び長期信頼性を確保できる。
【００４３】
なお、本発明は、その発明の範囲内において、各実施の形態を組み合わせたり、各実施の形態を適宜、変形、省略したりすることが可能である。
【符号の説明】
【００４４】
１  真空断熱材、１ａ  外周部、２  芯材、３  包装材、３ａ  表面保護層、３ｂ  ガスバリア層、３ｃ  熱溶着層、４、１２  包装材要素、４ａ、１２ａ，１７ａ  重ねしろ、４ｂ、１２ｂ  封止しろ、５、１３  内輪郭、６、１４  外輪郭、７、１５  封止冶具、８  真空槽、９  上治具、１０  下治具、１１  真空装置、１２ｃ  頂点部、１２ｄ  切り込み部、１２ｅ  切れ目、１８  粘着層、１９  コーティング部
【図１】
2017198248.tif 000003
【図２】
2017198248.tif 000004
【図３】
2017198248.tif 000005
【図４】
2017198248.tif 000006
【図５】
2017198248.tif 000007
【図６】
2017198248.tif 000008
【図７】
2017198248.tif 000009
【図８】
2017198248.tif 000010
【図９】
2017198248.tif 000011
【図１０】
2017198248.tif 000012
【図１１】
2017198248.tif 000013
【図１２】
2017198248.tif 000014
【図１３】
2017198248.tif 000015
【図１４】
2017198248.tif 000016
【図１５】
2017198248.tif 000017
【図１６】
2017198248.tif 000018
【図１７】
2017198248.tif 000019
【図１８】
2017198248.tif 000020